(57)【要約】  トランスポンダが開示される。当該トランスポンダは、光入出力（Ｉ／Ｏ）を送受信する送受信機を有する。さらに、トランスポンダは、第１及び第２クロックソースを有する。第１クロックソースは、送受信機が第１データレートにより動作すべきであることを示す選択信号を受信すると、送受信機を第１データレートにより動作させる。第２クロックソースは、送受信機が第２データレートにより動作すべきであることを示す選択信号を受信すると、送受信機を第２データレートにより動作させる。
2008522550.tif 000002
【特許請求の範囲】
【請求項１】
光入出力（Ｉ／Ｏ）を送受信する送受信機と、
前記送受信機が第１データレートにより動作すべきであると示す選択信号を受信すると、前記送受信機を前記第１データレートにより動作させる第１クロックソースと、
前記送受信機が第２データレートにより動作すべきであると示す選択信号を受信すると、前記送受信機を前記第２データレートにより動作させる第２クロックソースと、
を有するトランスポンダ。
【請求項２】
前記送受信機のコントロールシステムを動作させるマイクロコントローラをさらに有する、請求項１記載のトランスポンダ。
【請求項３】
当該トランスポンダからＩ／Ｏを転送する電気インタフェースをさらに有する、請求項２記載のトランスポンダ。
【請求項４】
前記電気インタフェースは、クロッキングチャネルを提供する、請求項３記載のトランスポンダ。
【請求項５】
前記電気インタフェースは、７０ピンコネクタである、請求項３記載のトランスポンダ。
【請求項６】
前記送受信機と前記電気インタフェースとの間に接続される第１インタフェースをさらに有する、請求項３記載のトランスポンダ。
【請求項７】
前記第１インタフェースは、マネージメント・データ・インタフェース（ＭＤＩＯ）である、請求項６記載のトランスポンダ。
【請求項８】
前記マイクロコントローラと前記電気インタフェースとの間に接続される第２インタフェースをさらに有する、請求項６記載のトランスポンダ。
【請求項９】
前記第１インタフェースは、２ワイヤインタフェースである、請求項８記載のトランスポンダ。
【請求項１０】
前記２ワイヤインタフェースは、インター・インテグレイティッド回路（Ｉ２Ｃ）インタフェースである、請求項９記載のトランスポンダ。
【請求項１１】
前記選択信号の値は、前記電気インタフェースに対する入力電圧を制御することによって制御される、請求項４記載のトランスポンダ。
【請求項１２】
前記選択信号の値は、前記マイクロコントローラにおいて前記選択信号の値を受信し、該値を前記第１及び第２クロックソースに送信することによって制御される、請求項４記載のトランスポンダ。
【請求項１３】
トランスポンダが第１データレート又は第２データレートにより動作すべきであるか示す信号値を選択するステップと、
前記トランスポンダを前記第１データレートにより動作するよう指定される第１クロックに前記信号値を送信するステップと、
前記トランスポンダを前記第２データレートにより動作するよう指定される第２クロックに前記信号値を送信するステップと、
を有する方法。
【請求項１４】
前記トランスポンダが前記第１データレートにより動作すべきことを前記信号値が示す場合、前記第１クロックをアクティブにするステップをさらに有する、請求項１３記載の方法。
【請求項１５】
前記トランスポンダが前記第２データレートにより動作すべきことを前記信号値が示す場合、前記第２クロックをアクティブにするステップをさらに有する、請求項１３記載の方法。
【請求項１６】
前記信号値を選択するステップは、電気インタフェースにおける入力電圧を制御するステップを有する、請求項１３記載の方法。
【請求項１７】
前記信号値を選択するステップは、レジスタビットをスイッチするステップを有する、請求項１３記載の方法。
【請求項１８】
メディア・アクセス・コントローラ（ＭＡＣ）と、
前記ＭＡＣに接続される光トランスポンダと、
を有するラインカードであって、
前記光トランスポンダは、
前記トランスポンダが第１データレートにより動作すべきであると示す選択信号を受信すると、前記トランスポンダを前記第１データレートにより動作させる第１クロックソースと、
前記トランスポンダが第２データレートにより動作すべきであると示す選択信号を受信すると、前記トランスポンダを前記第２データレートにより動作させる第２クロックソースとを有するラインカード。
【請求項１９】
前記トランスポンダはさらに、光入出力（Ｉ／Ｏ）を送受信する送受信機を有する、請求項１８記載のラインカード。
【請求項２０】
前記送受信機のコントロールシステムを動作させるマイクロコントローラをさらに有する、請求項１９記載のラインカード。
【請求項２１】
前記トランスポンダと前記ＭＡＣとの間でＩ／Ｏを転送する電気インタフェースをさらに有する、請求項２０記載のラインカード。
【請求項２２】
前記選択信号の値は、前記電気インタフェースに対する入力信号を制御することによって制御される、請求項２１記載のラインカード。
【請求項２３】
前記選択信号の値は、前記マイクロコントローラにおいて前記選択信号の値を受信し、該値を前記第１及び第２クロックソースに送信することによって制御される、請求項２１記載のラインカード。
【請求項２４】
前記ＭＡＣに接続されるネットワークプロセッサと、
前記ＭＡＣに接続されるコントロールプロセッサと、
をさらに有する、請求項１８記載のラインカード。
【発明の詳細な説明】
【発明の詳細な説明】
【０００１】
［発明の分野］
本発明は、光ファイバ通信に関し、より詳細には、光送受信機に関する。
【０００２】
［背景］
ここ数年の間に、１０（１０Ｇｂ／ｓ）のラインレートにより動作する光送受信機（又はトランスポンダ）が急速に進展してきた。これらのトランスポンダは、低コストでスケーラブルなＸｅｎｐａｋやＸ２などの広範なフォームファクタにより現在利用可能である。標準的なフォームファクタトランスポンダを選ぶ効果は、複数のサプライヤ間の選択をすることができることである。他の効果は、エンドユーザからトランスポンダ技術の差を隠しながら、ターゲットとなる各アプリケーションに同一のラインカード設計を適用することである。
【０００３】
顧客の観点から、複数のアプリケーションに異なるトランスポンダを使用する必要があるよりも、複数の異なるアプリケーションについて動作可能な１つのトランスポンダを有することが所望される。理想的な状況は、複数の近接しているが異なるラインレートにより１つのトランスポンダを動作させることである。しかしながら、従来のトランスポンダの設計は、１つのモジュール（例えば、ＳＯＮＥＴ（９．９５３Ｇｂ／ｓ）、１０Ｇイーサネット（登録商標）（１０．３Ｇｂ／ｓ）、１０Ｇファイバチャネル（１０．５Ｇｂ／ｓ）など）から１つの固定されたデータレートによってしか動作可能でない。このような制約は、パートを調達する低いフレキシビリティしか顧客に与えず、より高い在庫コストを生じさせる。
【０００４】
［詳細な説明］
一実施例によると、マルチレート光トランスポンダが開示される。明細書中の“一実施例”又は“ある実施例”という表現は、当該実施例に関して記載された特定の機能、構成又は特徴が本発明の少なくとも１つの実施例に含まれることを意味する。明細書の各所における“一実施例では”という表現は、必ずしもすべてが同一の実施例を参照しているとは限らない。
【０００５】
以下の説明では、多数の詳細が提供される。しかしながら、本発明がこれらの具体的詳細なしに実現可能であるということは当業者に明らかであろう。他の例では、本発明を不明りょうにすることを回避するため、周知の構成及び装置は、詳細にではなくブロック図の形式により示される。
【０００６】
図１は、ラインカード１００の一実施例のブロック図である。ラインカード１００は、ブレードサーバ、ネットワークスイッチ又はルータなどのモジュラーシャーシに挿入可能な入出力（Ｉ／Ｏ）カードである。ラインカード１００は、ネットワークプロセッサ１１０、コントロールプロセッサ１２０、メディア・アクセス・コントローラ（ＭＡＣ）１３０及び１以上の光トランスポンダ１５０を有する。
【０００７】
ネットワークプロセッサ１１０は、データパケットを処理する。特に、プロセッサ１１０は、スイッチファブリック装置（図示せず）からパケットを受け取り、これらのパケットを処理し、コントロールプロセッサ１２０から受け取った制御情報に基づき、パケットを他のネットワーク（光ネットワークなど）に転送する。さらに、プロセッサ１１０は、光ネットワークからデータを受け取り、当該データをスイッチファブリック装置に転送する。コントロールプロセッサ１２０は、制御コマンドなどの制御情報を処理する。
【０００８】
ＭＡＣ１３０は、ラインカード１００との間でパケットを送受信するメディアアクセスを制御する。トランスポンダ１５０は、光データを送受信する。図２は、トランスポンダ１５０の一実施例のブロック図を示す。トランスポンダ１５０は、光インタフェース２０２、送受信機２１０、マイクロコントローラ２２０、電気インタフェース２３０並びにクロック２４０及び２５０を有する。
【０００９】
光インタフェース２０２は、光ファイバに接続され、ファイバから光データを受信すると共に、ファイバを介しトランスポンダ１５０から光データを送信するよう実現される。送受信機２１０は、光データを送受信するのに利用される受信コンポーネントと送信コンポーネントとを有する。受信コンポーネントは、１以上の光ファイバから光データを受信するよう実現されるアクティブコンポーネントを有する。
【００１０】
このアクティブコンポーネントは、受信した光入力信号をＭＡＣ１３０に転送される電気信号に変換する。送信コンポーネントは、電気信号を受信し、当該信号を光ファイバを介し送信される光出力信号に変換する。
【００１１】
一実施例によると、送受信機２１０は、マネージメント・データ・インタフェース（ＭＤＩＯ）２０５を介し電気インタフェース２３０に接続される。
【００１２】
マイクロコントローラ２２０は、送受信機２１０について制御パラメータを設定するコントロールシステムを操作するため実現される。一実施例では、制御パラメータは、経時的及び温度により可変とされる。さらなる実施例では、マイクロコントローラ２２０はまた、制御パラメータを設定できるように、またステータスレジスタがモニタ値が格納されているカード１００からの読み出しができるように、２ワイヤインタフェース２０７（Ｉ２Ｃなど）を提供する。
【００１３】
電気インタフェース２３０は、カード１００へのＩ／Ｏデータ転送を提供する。さらに、インタフェース２３０は、ＤＣパワー及びグラウンド接続と共に、各種クロッキングチャネル、コントロール及びモニタリングチャネルを提供する。一実施例によると、インタフェース２３０は、カード１００の面に垂直にプラグインする７０ピンコネクタである。しかしながら、他の実施例では、インタフェース２３０は、他のタイプのコネクタとして実現されてもよく、又はカード１００の面のソケットと対になるボードエッジ接続の形態をとることも可能である。
【００１４】
クロック２４０及び２５０は、トランスポンダ１５０においてデータを送受信する送受信機にリファレンスクロックを提供するクロックである。一実施例によると、クロック２４０及び２５０は、トランスポンダ１５０が動作する各データレートにより高い光及び電気出力クオリティを維持しながら、トランスポンダ１５０が２以上のデータレートにより動作することを可能にする。例えば、クロック２４０が第１データレートを提供し、クロック２５０が第２データレートを提供するようにしてもよい。
【００１５】
一実施例によると、クロック２４０が、ＳＯＮＥＴオペレーションのため設計されたデータレート（９．９５３Ｇｂ／ｓなど）により動作し、クロック２５０が、１０Ｇイーサネット（登録商標）（１０．３Ｇｂ／ｓなど）の設計により実現されるデータレートにより動作する。しかしながら、他の実施例では、クロック２４０又は２５０は、１０Ｇファイバチャネル設計のための１０．５Ｇｂ／ｓなどの他のデータレートを注入するようにしてもよいことは明らかである。
【００１６】
一実施例では、クロック選択ラインが、クロック２４０及び２５０に選択信号を送信するため、クロック２４０と２５０の両方に接続される。選択信号は、何れのクロックがトランスポンダ１５０のデータレートを提供するか示す。インバータが、選択信号を反転させるため、クロック２５０の入力に接続される。このため、選択信号がハイの論理値（ロジック１など）であるとき、クロック２５０は非アクティブとされ、クロック２４０がデータレートを提供する。他方、選択信号がローの論理値（ロジック０など）である場合、クロック２５０はアクティブクロックであり、クロック２４０は非アクティブとされる。
【００１７】
一実施例によると、選択信号はハードウェアを介し生成される。このような実施例では、選択信号値は、電気インタフェース２３０からのベンダ固有のピンに対する入力電圧を制御することによって選択される。図３は、選択信号がソフトウェアを介し生成される他の実施例のトランスポンダ１５０のブロック図を示す。本実施例では、選択信号値は、ラインカード１００に対するコントロールレジスタビットをスイッチすることによって選択される。その後、当該選択は、Ｉ２Ｃインタフェースを介しマイクロコントローラに送信される。マイクロコントローラ２２０は、選択ラインに接続され、選択信号をクロック２４０及び２５０に送信する。
【００１８】
一実施例によると、ソフトウェア制御は、エンドユーザがデータレートの一時的な選択を行うことを可能にする。このような実施例では、データレートは、パワーサイクル後にもとの選択にスイッチバックされるかもしれない。他の実施例では、図３及び２の実施例が同一のトランスポンダ１５０におけるソフトウェアとハードウェアの双方の選択を可能にするよう組み合わされてもよいということに留意されたい。
【００１９】
本発明の多くの変更及び改良が、上記記載を読んだ後に当業者に明らかになるであろうが、例示的に図示及び記載された特定の実施例は限定的に解釈されるべきでないということは理解されるであろう。従って、各実施例の詳細についての参照は、本発明としてみなされる特徴のみを記載した請求項の範囲を制限するものでない。
【図面の簡単な説明】
【００２０】
【図１】図１は、ラインカードの一実施例を示す。
【図２】図２は、トランスポンダの一実施例のブロック図を示す。
【図３】図３は、トランスポンダの他の実施例のブロック図を示す。
【図４】図４は、トランスポンダ回路ボードの一実施例の平面図を示す。
【図１】
2008522550.tif 000003
【図２】
2008522550.tif 000004
【図３】
2008522550.tif 000005
【図４】
2008522550.tif 000006
【国際調査報告】
2008522550.tif 000007
2008522550.tif 000008
2008522550.tif 000009